(57)【特許請求の範囲】
【請求項１】
衣服と共に使用するためのファスナーアセンブリであって、
ａ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｂ）第１および第２閉鎖用テープであって、各閉鎖用テープが内部エッジと外部エッジとを有する第１および第２閉鎖用テープとを含み、
前記第１ファスナーテープの前記第２端部の前記内側面が、前記第１閉鎖用テープの前記内部エッジへ取り付けられ、前記第２ファスナーテープの前記第２端部の前記内側面が、前記第２閉鎖用テープの前記内部エッジへ取り付けられ、
前記第１閉鎖用テープが前記第１ファスナーテープ上の前記協働ファスナー務歯の列に平行に折り曲げられ、前記第２閉鎖用テープが前記第２ファスナーテープ上の前記協働ファスナー務歯の列に平行に折り曲げられ、
その結果、前記ファスナーが閉じられかつ前記第１および第２ファスナーテープからのファスナー務歯の噛合領域が形成されるとき、
ｉ）前記第１および第２閉鎖用テープの各々の前記外部エッジが重複し、
ｉｉ）前記第１閉鎖用テープの前記外部エッジがファスニング務歯の前記噛合領域を完全に覆い、
ｉｉｉ）前記第１閉鎖用テープの前記外部エッジの、前記第２閉鎖用テープの前記外部エッジによる重複部分がファスニング務歯の前記噛合領域の外側でファスニング務歯の前記噛合領域を越えて延在する、ファスナーアセンブリ。
【請求項２】
防護衣料用布帛と、防護衣料用布帛の第１および第２領域をつなぐためのファスナーアセンブリとを含む衣服であって、
ａ）前記ファスナーアセンブリが、
ｉ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｉｉ）第１および第２閉鎖用テープであって、各閉鎖用テープが内部エッジと外部エッジとを有する、第１および第２閉鎖用テープとを含み、
前記第１ファスナーテープの前記第２端部の前記内側面が、前記第１閉鎖用テープの前記内部エッジへ取り付けられ、前記第２ファスナーテープの前記第２端部の前記内側面が、前記第２閉鎖用テープの前記内部エッジへ取り付けられ、
前記第１閉鎖用テープの各々が前記第１ファスナーテープ上の前記協働ファスナー務歯の列に平行に折り曲げられ、前記第２閉鎖用テープが前記第２ファスナーテープ上の前記協働ファスナー務歯の列に平行に折り曲げられ、
その結果、前記ファスナーが閉じられかつ前記第１および第２ファスナーテープからのファスナー務歯の噛合領域が形成されるとき、前記第１および第２閉鎖用テープの各々の前記外部エッジが重複し、前記第１閉鎖用テープの前記外部エッジがファスニング務歯の前記噛合領域を完全に覆い、前記第１閉鎖用テープの前記外部エッジの、前記第２閉鎖用テープの前記外部エッジによる重複部分がファスニング務歯の前記噛合領域の外側でファスニング務歯の前記噛合領域を越えて延在し、
ｂ）前記衣服が、前記ファスナーアセンブリを防護衣料用布帛の前記第１領域へ前記第１閉鎖用テープの前記内部および外部エッジならびに前記第１ファスナーテープを通って取り付ける第１縫い目と、前記ファスナーアセンブリを防護衣料用布帛の前記第２領域へ前記第２閉鎖用テープの前記内部および外部エッジならびに前記第２ファスナーテープを通って取り付ける第２縫い目とを有し、
但し前記第１縫い目は前記第２閉鎖用テープを通って縫わず、前記第２縫い目は前記第１閉鎖用テープを通って縫わない、衣服。
【請求項３】
防護衣料用布帛と、防護衣料用布帛の第１および第２領域をつなぐためのファスナーアセンブリとを含む衣服であって、
ａ）前記ファスナーアセンブリが、
ｉ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｉｉ）第１および第２閉鎖用テープであって、各閉鎖用テープが内部エッジと外部エッジとを有する、第１および第２閉鎖用テープとを含み、
前記第１ファスナーテープの前記第２端部の前記内側面が、前記第１閉鎖用テープの前記内部エッジへ取り付けられ、前記第２ファスナーテープの前記第２端部の前記内側面が、前記第２閉鎖用テープの前記内部エッジへ取り付けられ、
前記第１閉鎖用テープの各々が前記第１ファスナーテープ上の前記協働ファスナー務歯の列に平行に折り曲げられ、前記第２閉鎖用テープが前記第２ファスナーテープ上の前記協働ファスナー務歯の列に平行に折り曲げられ、
その結果、前記ファスナーが閉じられかつ前記第１および第２ファスナーテープからのファスナー務歯の噛合領域が形成されるとき、前記第１および第２閉鎖用テープの各々の前記外部エッジが重複し、前記第１閉鎖用テープの前記外部エッジがファスニング務歯の前記噛合領域を完全に覆い、前記第１閉鎖用テープの前記外部エッジの、前記第２閉鎖用テープの前記外部エッジによる重複部分がファスニング務歯の前記噛合領域の外側でファスニング務歯の前記噛合領域を越えて延在し、
ｂ）前記衣服が、前記ファスナーアセンブリを防護衣料用布帛の前記第１領域へ前記第１閉鎖用テープの前記内部エッジおよび前記第１ファスナーテープを通って取り付ける第１縫い目と、前記ファスナーアセンブリを防護衣料用布帛の前記第２領域へ前記第２閉鎖用テープの前記内部エッジおよび前記第２ファスナーテープを通って取り付ける第２縫い目とを有し、
但し前記第１縫い目は前記第２閉鎖用テープを通って縫わず、前記第２縫い目は前記第１閉鎖用テープを通って縫わない、衣服。
【発明の詳細な説明】
【技術分野】
【０００１】
本発明は、防護衣料との使用に適切な改良されたファスナーアセンブリおよび当該ファスナーアセンブリを含む衣服に関する。
【背景技術】
【０００２】
作業員により着用される特定の個人用防護衣料の機能の１つは、環境汚染物が皮膚に接触するのを防止または減らすことである。このような衣料はカプセル形の耐液体性および／もしくは耐薬品性のスーツもしくは衣服、または乾燥粒子が皮膚に接触するのを防止するよう設計されたスーツもしくは衣服、または危険を引き起こす様々なものを防止するよう設計されたスーツもしくは衣服を含み得る。このような衣料は、カバーオール、シャツ、コート、ズボン、ビブカバーオールまたはこれらの品目の組合せのようなものを含み得る。衣料は、幅広い種類の特許で保護された防護衣服用布帛、遮蔽性布帛、積層体、およびフィルムで作製され得る。衣料はまた、不織布および／または織布ならびにそのような材料とフィルムとの積層体を含み得る。幾つかの実施形態において、衣料用材料は、多層フィルム・不織布積層体である。幾つかの実施形態において、衣料用材料は、液体および／または粒子による浸透に耐える不織布である。
【発明の概要】
【発明が解決しようとする課題】
【０００３】
明らかに、衣料への液体および／または粒子の侵入を防ぐ際に、衣料における開口部が潜在的な弱点となるが、その理由は、開口部は衣料が身に着けられるために存在しなければならず、かつ身に着けた後、開口部は次いで十分に封止されなければならないからである。そのような衣料の封止におけるいかなる改善も望ましい。
【課題を解決するための手段】
【０００４】
本発明は、衣服と共に使用するためのファスナーアセンブリであって、
ａ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｂ）第１および第２閉鎖用テープであって、各閉鎖用テープが内部エッジと外部エッジとを有する第１および第２閉鎖用テープとを含み、第１ファスナーテープの第２端部が第１閉鎖用テープの内部エッジへ取り付けられ、第２ファスナーテープの第２端部が第２閉鎖用テープの内部エッジへ取り付けられ、第１閉鎖用テープが第１ファスナーテープ上の協働ファスナー務歯の列に平行に折り曲げられ、第２閉鎖用テープが第２ファスナーテープ上の協働ファスナー務歯の列に平行に折り曲げられ、その結果、ファスナーが閉じられかつ第１および第２ファスナーテープからのファスナー務歯の噛合領域が形成されるとき、
ｉ）前記第１および第２閉鎖用テープの各々の外部エッジが重複し、
ｉｉ）第１閉鎖用テープの外部エッジがファスニング務歯の噛合領域を完全に覆い、
ｉｉｉ）第１閉鎖用テープの外部エッジの、第２閉鎖用テープの外部エッジによる重複部分がファスニング務歯の噛合領域を越えて延在する、ファスナーアセンブリに関する。
【０００５】
本発明はまた、防護衣料用布帛と、防護衣料用布帛の第１および第２領域をつなぐためのファスナーアセンブリとを含む衣服であって、
ａ）ファスナーアセンブリが、
ｉ）第１ファスナーテープと第２ファスナーテープとを有するファスナーであって、各ファスナーテープが内側面と外側面とを有し、各ファスナーテープが第１端部と第２端部とをさらに有し、第１端部上に協働ファスナー務歯の列が取り付けられる、ファスナーと、
ｉｉ）第１および第２閉鎖用テープであって、各閉鎖用テープが内部エッジと外部エッジとを有する、第１および第２閉鎖用テープとを含み、
第１ファスナーテープの第２端部が第１閉鎖用テープの内部エッジへ取り付けられ、第２ファスナーテープの第２端部が第２閉鎖用テープの内部エッジへ取り付けられ、第１閉鎖用テープの各々が第１ファスナーテープ上の協働ファスナー務歯の列に平行に折り曲げられ、第２閉鎖用テープが第２ファスナーテープ上の協働ファスナー務歯の列に平行に折り曲げられ、その結果、ファスナーが閉じられかつ第１および第２ファスナーテープからのファスナー務歯の噛合領域が形成されるとき、前記第１および第２閉鎖用テープの各々の外部エッジが重複し、第１閉鎖用テープの外部エッジがファスニング務歯の噛合領域を完全に覆い、第１閉鎖用テープの外部エッジの、第２閉鎖用テープの外部エッジによる重複部分がファスニング務歯の噛合領域を越えて延在し、
ｂ）衣服が、ファスナーアセンブリを防護衣料用布帛の第１領域へ第１閉鎖用テープの内部および外部エッジならびに第１ファスナーテープを通って取り付ける第１縫い目と、ファスナーアセンブリを防護衣料用布帛の第２領域へ第１閉鎖用テープの内部および外部エッジならびに第２ファスナーテープを通って取り付ける第２縫い目とを有し、但し第１縫い目は第２閉鎖用テープを通って縫わず、第２縫い目は第１閉鎖用テープを通って縫わない、衣服に関する。
【０００６】
本発明はまた、防護衣料用布帛と、防護衣料用布帛の第１および第２領域をつなぐためのファスナーアセンブリとを含む衣服であって、
ａ）ファスナーアセンブリが、
ｉ）第１ファスナーテープと第２ファスナーテープとを有するファスナーであって、各ファスナーテープが内側面と外側面とを有し、各ファスナーテープが第１端部と第２端部とをさらに有し、第１端部上に協働ファスナー務歯の列が取り付けられる、ファスナーと、
ｉｉ）第１および第２閉鎖用テープであって、各閉鎖用テープが内部エッジと外部エッジとを有する、第１および第２閉鎖用テープとを含み、
第１ファスナーテープの第２端部が第１閉鎖用テープの内部エッジへ取り付けられ、第２ファスナーテープの第２端部が第２閉鎖用テープの内部エッジへ取り付けられ、
第１閉鎖用テープの各々が第１ファスナーテープ上の協働ファスナー務歯の列に平行に折り曲げられ、第２閉鎖用テープが第２ファスナーテープ上の協働ファスナー務歯の列に平行に折り曲げられ、
その結果、ファスナーが閉じられかつ第１および第２ファスナーテープからのファスナー務歯の噛合領域が形成されるとき、前記第１および第２閉鎖用テープの各々の外部エッジが重複し、第１閉鎖用テープの外部エッジがファスニング務歯の噛合領域を完全に覆い、第１閉鎖用テープの外部エッジの、第２閉鎖用テープの外部エッジによる重複部分がファスニング務歯の噛合領域を越えて延在し、
ｂ）衣服が、ファスナーアセンブリを防護衣料用布帛の第１領域へ第１閉鎖用テープの内部エッジおよび第１ファスナーテープを通って取り付ける第１縫い目と、ファスナーアセンブリを防護衣料用布帛の第２領域へ第２閉鎖用テープの内部エッジおよび第２ファスナーテープを通って取り付ける第２縫い目とを有し、
但し第１縫い目は第２閉鎖用テープを通って縫わず、第２縫い目は第１閉鎖用テープを通って縫わない、衣服にさらに関する。
【図面の簡単な説明】
【０００７】
【図１Ａ】分かりやすくするために、折り曲げられていない、および次いで部分的に折り曲げられている状態で示される、衣服と共に使用するためのファスナーアセンブリの図示である。
【図１Ｂ】分かりやすくするために部分的に折り曲げられた状態にあり、衣料用布帛の第１および第２領域へ取り付けられ、縫い目および衣料用布帛とのつなぎ目を覆う任意選択的な外部封止テープを備える、ファスナーアセンブリの図示である。
【図１Ｃ】分かりやすくするために折り曲げられていない状態で示され、ファスナーテープを閉鎖用テープへ取り付ける任意選択の内部封止テープを備える、衣服と共に使用するためのファスナーアセンブリの図示である。
【図２Ａ】協働ファスナー務歯の列に平行である閉鎖用テープの折り目の方向の図示であり、この図において、ファスナー務歯はスライドファスナー務歯の１タイプ、特にジッパー上の歯である。
【図２Ｂ】協働ファスナー務歯の列に平行である閉鎖用テープの折り目の方向の図示であり、この図において、ファスナー務歯はベルベット式フックアンドループファスナーの１タイプである。
【図３】衣服のファスナーアセンブリとは別個にまたは共にのいずれかで使用され得る様々な特徴部の図示であり、ファスナーアセンブリは、分かりやすくするために折り曲げられた、および部分的に折り曲げられた状態で示され、衣料用布帛の第１および第２領域へ取り付けられており、任意選択の外部封止テープを備える。
【図４】ファスナーアセンブリの、衣料用布帛の第１および第２領域への別の取付けの図示であり、任意選択の内部封止テープを備え、分かりやすくするために部分的に折り曲げられた状態で示されている。
【発明を実施するための形態】
【０００８】
ファスナーアセンブリ
図１Ａに示されるとおり、衣服と共に使用するためのファスナーアセンブリは、ファスナーであって第１ファスナーテープ１２ａと第２ファスナーテープ１２ｂとを有し、各ファスナーテープが内側面と外側面とを有するファスナーを含む。さらに、ファスナーテープ１２ａは、協働ファスナー務歯１１ａの列が取り付けられた第１端部と第２端部２とを有する。ファスナーテープ１２ｂは、協働ファスナー務歯１１ｂの列が取り付けられた第１端部と第２端部３とを有する。ファスナーアセンブリは、内部エッジ２０と外部エッジ２２とを有する第１閉鎖用テープ１３、内部エッジ２１と外部エッジ２３とを有する第２閉鎖用テープ１４をさらに含む。第１ファスナーテープの第２端部は第１閉鎖用テープの内部エッジ２０へ取り付けられ、第２ファスナーテープの第２端部は第２閉鎖用テープの内部エッジ２１へ取り付けられる。
【０００９】
さらに、内部エッジ２０の長さは外部エッジ２２の長さより短く、内部エッジ２１の長さは外部エッジ２３の長さより短い。幾つかの実施形態において、ファスナーテープおよび閉鎖用テープはファスナーアセンブリによりつながれる防護衣料用布帛の遮蔽特性以上の遮蔽特性を有する。
【００１０】
第１閉鎖用テープ１３は、第１ファスナーテープ上の協働ファスナー務歯１１ａの列に平行に折り曲げられ、第２閉鎖用テープ１４は、第２ファスナーテープ上の協働ファスナー務歯１１ｂの列に平行に折り曲げられる。図２Ａは、閉鎖用テープ１４の折り目の向きの図示であり、折り目３０は点線により表されており、折り目は協働ファスナー務歯１１ｂの列に平行であり、この図において、ファスナー務歯１１ｂの列はスライドファスナー務歯の１タイプ、特にジッパー上の歯である。図２Ｂは、協働ファスナー務歯３１の列に平行な閉鎖用テープの折り目３２の向きの同様の図示である。この図において、ファスナー務歯３１の列は、ベルクロ（Ｖｅｌｃｒｏ）（登録商標）ファスナーとしてより一般的に知られる、ｄｅ  Ｍｅｓｔｒａｌへの米国特許第２，７１７，４３７号明細書に開示されるものなどの、ベルベット式フックアンドループファスナーのタイプの片側のストリップである。ファスナーテープ１３は図２Ａおよび２Ｂに示されるものに対する、鏡像の協働折り目、オプション、および適合または嵌合ファスナー務歯を有する。これらのタイプのファスナーテープおよびファスナー務歯が有用である一方で、これらは限定することを意図されるものではない。これらに加えて、Ｇｏｏｐｅｒ  Ｈｅｒｍｅｔｉｃにより販売されるものなどの磁気封止ストリップなどのものを含む、様々なファスナーテープおよびファスナー務歯が使用され得ると考えられる。
【００１１】
第１および第２閉鎖用テープの各々の全長、ならびに閉鎖用テープの内部および外部エッジの相対的長さは、ファスナーが閉じられるとき、第１および第２ファスナーテープの各々の外部エッジが重複し、かつ両者が閉じられたファスナーを覆うように選択される。特に、ファスナーが閉じられるとき、第１および第２ファスナーテープからの協働ファスナー務歯１１ａおよび１１ｂは互いに噛み合い、各閉鎖用テープの外部エッジは、噛合領域にわたって延在してその領域を完全に覆うように選択される。図１Ａに、分かりやすくするために部分的に折り曲げられた状態で示されるとおり、第１閉鎖用テープ１３の長さは、折り曲げられた外部エッジ２２がファスナーテープ１２ａの外側面を覆い、かつ噛合領域を完全に覆うように延在するかそうするのに十分に長いように、選択される。第１閉鎖用テープ１３に重なる第２閉鎖用テープ１４の長さもまた、折り曲げられた外部エッジ２３がファスナーテープ１２ｂの外側面の一部を覆い、かつ、第１閉鎖用テープの下に位置するファスニング務歯の噛合領域を越えて延在するのに十分長くなるように独立して選択される。換言すると、噛み合ったファスニング務歯の領域は、その噛合領域の上方で重ねられる閉鎖用テープの２つの層により完全に覆われ、層のそれぞれは噛合領域を独立して完全に覆うのに十分幅広い。これは、噛合領域がいずれの液体および／または粒子状物質からも完全に封止されることを確実にするのに役立つ。
【００１２】
いくつかの好ましい実施形態において、第１閉鎖用テープ１３の長さは、ファスナーが閉じられるとき、外部エッジ２２が噛合を越えて、噛合領域と第２ファスナーテープ１２ｂの第２端部との間の領域へ延在するように選択される。幾つかの実施形態において、第２閉鎖用テープ１４の長さは、ファスナーが閉じられるとき、外部エッジ２３が噛合領域を越えて、噛合領域と第１ファスナーテープ１２ａの第２端部との間の領域へ延在するように選択される。いくつかの好ましい実施形態において、閉鎖用テープ１４の長さは、ファスナーが閉じられるとき、外部エッジ２３が第１ファスナーテープ１２ａの第２端部を越えて延在するように選択される。幾つかの実施形態において、外部エッジ２３の長さは外部エッジ２２の長さより長い。さらに、必要に応じて、容易かつ迅速に開くことおよび閉じることができる追加的な閉鎖用デバイス、例えば、（ベルクロ（Ｖｅｌｃｒｏ）（登録商標）（タイプのような）ベルベット式フックアンドループファスナーの追加的なストリップ、他のフック／ループデバイス、両面接着テープ、（ジップロックシステムなどの）連動式スプライン・グルーブシステム、磁気封止ストリップなどが、閉鎖用テープ１４の外部エッジ２３を防護衣料用布帛または閉鎖用テープ１３へ固定するために使用され得る。同様に、必要に応じて、そのような追加的な閉鎖用デバイスが外部エッジ２２を閉鎖用テープ１４の内部エッジ２１へ固定するために使用され得る。
【００１３】
複数のタイプのファスナーおよび協働ファスナー務歯が想定されるが、好ましい実施形態において、ファスナーはスライドファスナーであり、第１および第２ファスナーテープはストリンガテープであり、ファスナー務歯はストリンガテープ上に取り付けられた協働スライドファスナー務歯であり、スライドファスナーは、スライドファスナーを開くおよび閉じるためにストリンガテープ上のファスナー務歯と協働するスライダをさらに含む。いくつかのスライドファスナーは「ジッパー」として一般知られている。図１Ｃに示されるとおり、一実施形態において、ファスナーテープ１２ａおよび１２ｂ（またはスライドファスナーの場合のストリンガテープ）は、好適な内部封止テープ１７の使用により閉鎖用テープ１３および１４へ取り付けられる。内部封止テープは、塩素化ポリエチレンまたは熱可塑性合成ゴムまたは封止されている材料と適合する他の材料を含み得る。代表的な商業的に入手可能な内部封止テープは、Ａｄｈｅｓｉｖｅ  Ｆｉｌｍｓ，Ｉｎｃ．、Ｂｅｍｉｓ  Ａｓｓｏｃｉａｔｅｓ，Ｉｎｃ．、Ｗｏｒｔｈｅｎ  Ｉｎｄｕｓｔｒｉｅｓなどの製造業者から入手可能である。他の実施形態において、ファスナーテープは閉鎖用テープへヒートシール、超音波シール、化学溶接、接着剤溶接（ｇｌｕｅ  ｗｅｌｄｉｎｇ）などの使用により取り付けることができ、ファスナーテープも閉鎖用テープもいずれもこの封止を促進するために適合する材料で追加的に被覆されてもよい。
【００１４】
衣服
衣服は好ましくは、防護衣料用布帛および前述のとおりのファスナーアセンブリを含む。用語「防護衣料用布帛」は、幅広い種類の防護衣服用布帛、遮蔽性布帛、積層体、およびフィルムを含むことを意味する。用語「防護衣料用布帛」はまた、不織布および／または織布ならびにそのような材料のフィルムまたは多層フィルムとの積層体を含む。いくつかの好ましい実施形態において、防護衣料用布帛、およびしたがって衣料用材料は、多層フィルム・不織布積層体である。幾つかの実施形態において、衣料用材料は、液体および／または粒子による浸透に耐える不織布、例えば、タイベック（Ｔｙｖｅｋ）（登録商標）スパンボンドポリエチレンのような不織布である。他の有用な防護衣料用布帛は、幅広い種類の脅威から保護し、かつ、米国特許第５，６２６，９４７号明細書（Ｈａｕｅｒ  ｅｔ  ａｌ．）、同第４，８５５，１７８号明細書（Ｌａｎｇｌｅｙ）、同第４，２７２，８５１号明細書（Ｇｏｌｄｓｔｅｉｎ）、同第４，７７２，５１０号明細書（ＭｃＣｌｕｒｅ）、同第５，０３５，９４１号明細書（Ｂｌａｃｋｂｕｒｎ）、同第４，２１４，３２１号明細書（Ｎｕｗａｙｓｅｒ）、同第４，９２０，５７５号明細書（Ｂａｒｔａｓｉｓ）、同第５，１６２，１４８号明細書（Ｂｏｙｅ）、同第４，８３３，０１０号明細書（Ｌａｎｇｌｅｙ）に開示されているものを含むがこれらに限られない。
【００１５】
図１Ｂに示されるとおり、ファスナーアセンブリは防護衣料用布帛の第１および第２領域１６をつなぐ。衣服は、ファスナーアセンブリを防護衣料用布帛の第１および第２領域１６へ取り付ける縫い目１８を有する。一実施形態において、縫い目１８の第１セットは、第１閉鎖用テープ１３の内部および外部エッジ、第１ファスナーテープ１２ａ、ならびに防護衣料用布帛の第１領域を通って縫われ、縫い目の第２セットは第２閉鎖用テープ１４の内部および外部エッジ、第２ファスナーテープ１２ｂ、ならびに防護衣料用布帛の第２領域を通って縫われる。しかしながら、ファスナーが開かれかつ閉じられ得るように、第１閉鎖用テープ１３を通る第１縫い目は第２閉鎖用テープ１４を通って縫わず、第２閉鎖用テープ１４を通る第２縫い目は第１閉鎖用テープ１３を通って縫わない。
【００１６】
ファスナーアセンブリが、図１Ｃに示されるとおり好適な内部封止テープ１７の使用により閉鎖用テープへ取り付けられるファスナーテープを含む場合、ファスナーアセンブリが防護衣料用布帛に縫い付けられるとき、縫い目１８は好ましくはまたこの封止テープを通過する。他の実施形態において、ファスナーテープは閉鎖用テープにヒートシール、超音波シールなどの使用により取り付けることができ、ファスナーテープも閉鎖用テープもいずれもこの封止を促進するために適合する材料で追加的に被覆されてもよい。
【００１７】
さらに、図１Ｂに示されるとおり、幾つかの実施形態において、ファスナーアセンブリが防護布帛の領域に縫い付けられた後、第１閉鎖用テープ１３はさらに、第１縫い目を覆う外部封止テープ１５で防護衣料の第１領域へ取り付けられる。同様にまた、第２閉鎖用テープ１４が、第２縫い目を覆う外部封止テープ１５で、防護衣料の第２領域へ取り付けられる。外部封止テープ１５は閉鎖用テープ材料と防護布帛の両方に適合しなければならず、外部封止テープ１５はまた、防護衣料用布帛領域と閉鎖用テープの折り目との間のつなぎ目を覆う働きをする。有用な封止テープは、防護衣料用布帛の遮蔽性かつ耐久性材料からできているテープを含む。幾つかの実施形態において、外部封止テープ１５は衣服で使用される防護衣料用布帛からできている。代表的な商業的に利用可能な外部封止テープは、Ａｄｈｅｓｉｖｅ  Ｆｉｌｍｓ，Ｉｎｃ．、Ｂｅｍｉｓ  Ａｓｓｏｃｉａｔｅｓ，Ｉｎｃ．、Ｗｏｒｔｈｅｎ  Ｉｎｄｕｓｔｒｉｅｓなどの製造業者から入手可能であり、接着テープは、ポリウレタン、ポリエチレン、アクリル、熱可塑性ゴム、および／またはホットメルトシステムなどを含む。
【００１８】
図３は、ファスナーアセンブリおよびその防護衣料用布帛への取付けにおいて別個にまたは共にのいずれかで使用され得る、様々な特徴部の他の実施形態を図示する。一特徴部において、第１閉鎖用テープ１３の外部エッジ２２は、追加的な、逆の折り目を形成する内部フラップ４１を有する。（図２Ａに示されるとおり）折り目３０への鏡像と同様に、内部フラップ４１を作り出す第１閉鎖用テープ１３の折り目は、折り目および協働ファスナー務歯１１ａの列の両方に平行であるが、反対側方向である。図３において、分かりやすくするために部分的に折り曲げられた状態において示されるとおり、ファスナーが防護衣料用布帛の第１および第２領域１６に、縫い目および任意選択の外部封止テープ１５を介して取り付けられ、次いで閉じられるとき、内部フラップ４１の逆の折り目が、ファスナーテープ１４の下の内部エッジ２１と外部エッジ２３との間の折り目の中に嵌り込み、かつ第２閉鎖用テープの縫われた領域へさらなる被覆領域を提供する。内部フラップ４１は、不注意により外部エッジ２３の下に入り得るいずれの材料または液体も、第２閉鎖用テープ１４の縫われた領域に到達するのを防ぐのに役立ち得ると考えられる。
【００１９】
別の態様において、閉鎖用テープ１３および／または１４の内部エッジの一方または両方は、噛み合ったファスナー務歯の下に位置付けられ、ファスナーが閉じられるときその噛合領域を覆う１つまたは複数の延長フラップを設けられてもよい。図３に示されるとおり、閉鎖用テープ１３の内部エッジ２０は、ファスナーテープ１２ａの内側面の下におよびファスナー務歯１１ａを越えて延在する延長フラップ１９を有してもよい。ファスナーが閉じられかつファスナー務歯１１ａおよび１１ｂが噛み合うとき、延長フラップ１９は噛合領域およびファスナーテープ１２ｂの内側面の少なくとも一部の下におよびそれを越えて延在し、好ましくは閉鎖用テープ１４の内部エッジ２１に当接する。代替的に、延長フラップは、他の閉鎖用テープ１４から同様の方法で延在し得る（図示せず）。ファスナーの内側のファスニング務歯の噛合領域を覆うこの特徴部により、ファスナーの内部に対する追加的な封止層が提供され、環境からの空気をスーツへ「引き込む」結果をもたらし得るスーツの内側からの「良い空気」の排出を潜在的に減少させる。
【００２０】
図４は、ファスナーアセンブリの別の実施形態および、脅威が主に粒子の侵入である衣服において用途を見出す衣料用布帛の第１および第２領域へのファスナーアセンブリの取付けを、分かりやすくするために部分的に折り曲げた状態で図示する。ファスナーアセンブリは防護衣料用布帛の第１および第２領域１６をつなぐ。衣服は、ファスナーアセンブリを防護衣料用布帛の第１および第２領域６へ取り付ける縫い目４４を有する。この実施形態において、縫い目４４の第１セットは、第１ファスナーテープ１２ａ、閉鎖用テープ１３の内部エッジ２０、および防護衣料用布帛の第１領域１６を通って縫われ、縫い目４４の第２セットは、第２ファスナーテープ１２ｂ、第２閉鎖用テープ１４の内部エッジ２１、および防護衣料用布帛の第２領域１６を通って縫われる。しかしながら、ファスナーが開かれかつ閉じられ得るように、第１閉鎖用テープ１３を通る第１縫い目は第２閉鎖用テープ１４を通って縫わず、第２閉鎖用テープ１４を通る第２縫い目は第１閉鎖用テープ１３を通って縫わない。さらに、この実施形態において、縫い目は、閉鎖用テープの内部エッジ（２０、２１）のみを通過し、縫い目は外部エッジ（２２、２３）を通過しない。図４はまた、縫い目４４およびファスナーテープと閉鎖用テープとの間のつなぎ目を覆う内部封止テープ１７の任意選択的使用を示す。さらに示されるのは、上で説明された内部フラップ特徴部４１である。先のとおり、必要に応じて、容易かつ迅速に開くことおよび閉じることができる追加的な閉鎖用デバイス、例えば、（ベルクロ（Ｖｅｌｃｒｏ）（登録商標）タイプのような）ベルベット式フックアンドループファスナーの追加的なストリップ、他のフック／ループデバイス、両面接着テープ、（ジップロックシステムなどの）連動式スプライン・グルーブシステム、磁気封止ストリップなどが、第２閉鎖用テープ１４の外部エッジ２３を防護衣料用布帛または閉鎖用テープ１３へ固定するために使用され得る。同様に、このような追加的な閉鎖用デバイスは、閉鎖用テープ１３の外部エッジ２２を閉鎖用テープ１４の内部エッジ２１へ固定するために使用され得る。
【００２１】
幾つかの実施形態において、衣服におけるファスナーアセンブリのファスナーはスライドファスナーであり、第１および第２ファスナーテープはストリンガテープであり、ファスナー務歯はストリンガテープ上に取り付けられた協働スライドファスナー務歯である。スライドファスナーは、スライドファスナーを開くおよび閉じるためにストリンガテープ上のファスナー務歯と協働するスライダをさらに含む。幾つかの実施形態において、衣服におけるファスナーアセンブリのファスナーは、フックアンドループファスナー務歯を有するベルベット式フックアンドループファスナーである。好適なスライドファスナーは、例えば、ウレタン被覆耐水性ジッパー、例えば、ＹＫＫ（登録商標）アクアガード（Ａｑｕａｇｕａｒｄ）（登録商標）ウレテック被覆ジッパー、またはウレタン、ポリエチレン、もしくは他の耐水性被覆剤で被覆された他の耐水性ジッパーを含む。好ましくは、スライドファスナーは、閉じている衣服の開口部に等しい全長を有する。幾つかの実施形態において、スライドファスナーは３０〜４８インチの全長を有する。
【００２２】
衣服においてはこのタイプのファスナーテープおよびファスナー務歯が有用であるが、限定することを意図されるものではない。ファスナーアセンブリについての前述の特徴部の全ては、衣服において使用され得る。例えば、ベルクロ（Ｖｅｌｃｒｏ）（登録商標）ファスナーとしてより一般的に知られる、ｄｅ  Ｍｅｓｔｒａｌへの米国特許第２，７１７，４３７号明細書において開示されるものなどのベルベット式フックアンドループファスナーを含む、様々なファスナーテープおよびファスナー務歯が使用され得ると考えられる。例えばＧｏｏｐｅｒ  Ｈｅｒｍｅｔｉｃにより販売される磁気封止ストリップのようなもの。
【００２３】
幾つかの実施形態において、防護衣料用布帛およびファスナーアセンブリを含む衣服は、レベルＡ、Ｂ、ＣまたはＤの防護衣服である。レベルＡの衣服は、最高レベルの皮膚、呼吸器、および眼の保護を求める状況において使用され、通常は完全なカプセル形蒸気保護衣服である。レベルＢの衣服は、最高レベルの呼吸器保護を求めるが、より低いレベルの皮膚保護が必要とされる状況において使用される。レベルＣの衣服は、大気汚染物質、液体のはね、および他の直接接触が、悪影響を及ぼさないかまたは任意の露出された皮膚により吸収される状況において使用される。レベルＤの衣服は、汚染が不快なだけである状況において使用される。Ａ、Ｂ、Ｃ、またはＤレベルと格付けされた防護衣料の組合せが共に使用されてもよい場合もあり得る。
【００２４】
試験方法
このファスナーを組み込む衣服は、Ｍ．Ｉ．Ｓ．Ｔ．（模擬物質内人体試験（Ｍａｎ  ｉｎ  Ｓｉｍｕｌａｎｔ  Ｔｅｓｔ））によってＮＦＰＡ  １９９４、ＡＳＴＭ  Ｆ  １３５９に従い耐液体透過性、およびＩＳＯ１７４９１方法により試験される、ＩＳＯ１６６０２タイプ５に従う保護浮遊有害粒子への耐性について試験され得る。
【実施例】
【００２５】
実施例１
ファスナーアセンブリは、図１Ａに示されるとおり、全長が３６インチのＹＫＫ（登録商標）アクアガード（Ａｑｕａｇｕａｒｄ）（登録商標）ウレテック被覆ジッパーの２つのストリンガテープ（１２ａ、１２ｂ）をタイケム（Ｔｙｃｈｅｍ）（登録商標）多層フィルム・不織布積層体でできた第１および第２閉鎖用テープの内部エッジへ取り付けることにより作られる。ストリンガテープは、図１Ｃにおいて示されるとおり、ストリンガを閉鎖用テープへ熱可塑性ゴム内部封止テープ１７の使用により封止することにより取り付けられる。図１Ａに概して示されるとおり、第１閉鎖用テープ（１３）の幅は、折り曲げられたとき、第１閉鎖用テープ（１３）がおよそ７／８インチ幅の内部エッジ（２０）とおよそ１インチ幅の外部エッジ（２２）とを有するように選択される。第２閉鎖用テープ（１４）の幅は、折り曲げられたとき、第２閉鎖用テープ（１４）がおよそ７／８インチ幅の内部エッジ（２１）とおよそ１．５インチ幅の外部エッジ（２３）とを有するように選択される。
【００２６】
ファスナーが閉じられるとき、すなわち、ファスニング務歯が噛み合わされるとき、第１ファスナーテープ２の第２エッジ２２が噛合領域と、第２ファスナーテープ３の折り目との間に、ファスナーテープ３の縫い目に捕えられることなく、延在し、第２ファスナーテープ３の第２エッジ２３が噛合領域を越えて延在する。必要に応じて、長い方の第２エッジ２３は、それが噛合領域とファスナーテープ２の折り目の両方を越えて延在するように選択され得る。
【００２７】
実施例２
液体の進入を制限および／または阻むよう設計されたカバーオールの形の衣服は、実施例１のファスナーアセンブリをカバーオールの入口開口部に組み込むことにより作られる。ファスナーアセンブリは、タイケム（Ｔｙｃｈｅｍ）（登録商標）ＢＲ多層フィルム・不織布積層体の第１および第２領域へ取り付けられて、その布帛をカバーオールの入口地点でつなぐ。ファスナーアセンブリは、図１Ｂに示されるとおり、防護衣料用布帛の第１および第２領域へ縫い付けられる。特に、第１縫い目１８は第１閉鎖用テープ１３の内部および外部エッジ、第１ファスナー（ストリンガ）テープ１２ａ、および防護衣料用布帛の第１領域を通って縫われ、縫い目の第２セットは第２閉鎖用テープ１４の内部および外部エッジ、第２ファスナー（ストリンガ）テープ１２ｂ、および防護衣料用布帛の第２領域を通って縫われる。しかしながら、ファスナーが開かれおよび閉じられ得るように、第１閉鎖用テープ１３を通る第１縫い目は第２閉鎖用テープ１４を通って縫わず、第２閉鎖用テープ１４を通る第２縫い目は第１閉鎖用テープ１３を通って縫わない。同様にタイケム（Ｔｙｃｈｅｍ）（登録商標）多層フィルム・不織布積層体から作られた外部封止テープ１５が、縫い目およびファスナーアセンブリと防護衣料用布帛との間のつなぎ目を覆うように取り付けられる。加えて、ファスナーアセンブリは、図３に示されるとおり、ファスナー務歯が噛み合うときファスナー務歯１１ａおよび１１ｂの下におよびそれを越えて延在する延長フラップ１９の追加的な特徴部を有する。
【００２８】
衣服は、Ｍ．Ｉ．Ｓ．Ｔ．（模擬物質内人体試験（Ｍａｎ  ｉｎ  Ｓｉｍｕｌａｎｔ  Ｔｅｓｔ））によってＮＦＰＡ  １９９４について、およびＡＳＴＭ  Ｆ  １３５９に従い耐液体透過性について試験され、ファスナーアセンブリを通じた液体の進入を示さない。
【００２９】
実施例３
粒子の進入を制限および／または阻むよう設計されたカバーオールの形の衣服は、実施例１のファスナーアセンブリをカバーオールの入口開口部に組み込むことにより作られる。実施例２におけるとおり、ファスナーアセンブリが保護布帛の第１および第２領域へ取り付けられてカバーオールの入口地点においてその布帛をつなぐが、しかしながらこの実施例において、布帛はタイケム（Ｔｙｃｈｅｍ）（登録商標）ＱＣポリエチレン被覆不織布積層体である。図４に示されるとおり、ファスナーアセンブリは防護衣料用布帛の第１および第２領域に縫い付けられる。特に、第１縫い目４４は第１ファスナーテープ１２ａ、閉鎖用テープ１３の内部エッジ２０、および防護衣料用布帛の第１領域６を通って縫われ、縫い目４４の第２セットは第２ファスナーテープ１２ｂ、第２閉鎖用テープ１４の内部エッジ２１、および防護衣料用布帛の第２領域６を通って縫われる。しかしながら、ファスナー開かれおよび閉じられ得るように、第１閉鎖用テープ１３を通る第１縫い目は第２閉鎖用テープ１４を通って縫わず、第２閉鎖用テープ１４を通る第２縫い目は第１閉鎖用テープ１３を通って縫わない。さらに、この実施形態において、縫い目は閉鎖用テープの内部エッジ（２０、２１）のみを通過し、縫い目は外部エッジ（２２、２３）を通過しない。目的は、粒子の進入を排除することであるため、封止テープは必要とされない。さらに図４で示されるのは、縫い目箇所およびファスナーテープと内部エッジとの間のつなぎ目を覆うように取り付けられた内部封止テープ１７である。衣服は、ＩＳＯ１７４９１方法により試験される、ＩＳＯ１６６０２タイプ５に従う浮遊有害粒子への耐性について試験され、ファスナーアセンブリを通じた粒子の進入を示さない。
【００３０】
実施例４
実施例１〜３が繰り返されるが、しかしながらファスナーアセンブリは、図３に示されるとおり、前述の内部フラップ特徴部４１を有して構成される。実施例２および３におけるとおり、衣服はファスナーアセンブリを通じた液体／粒子の進入を示さない。
次に、本発明の態様を示す。
１.  衣服と共に使用するためのファスナーアセンブリであって、
ａ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｂ）第１および第２閉鎖用テープであって、各閉鎖用テープが内部エッジと外部エッジとを有する第１および第２閉鎖用テープとを含み、
前記第１ファスナーテープの前記第２端部が前記第１閉鎖用テープの前記内部エッジへ取り付けられ、前記第２ファスナーテープの前記第２端部が前記第２閉鎖用テープの前記内部エッジへ取り付けられ、
前記第１閉鎖用テープが前記第１ファスナーテープ上の前記協働ファスナー務歯の列に平行に折り曲げられ、前記第２閉鎖用テープが前記第２ファスナーテープ上の前記協働ファスナー務歯の列に平行に折り曲げられ、
その結果、前記ファスナーが閉じられかつ前記第１および第２ファスナーテープからのファスナー務歯の噛合領域が形成されるとき、
ｉ）前記第１および第２閉鎖用テープの各々の前記外部エッジが重複し、
ｉｉ）前記第１閉鎖用テープの前記外部エッジがファスニング務歯の前記噛合領域を完全に覆い、
ｉｉｉ）前記第１閉鎖用テープの前記外部エッジの、前記第２閉鎖用テープの前記外部エッジによる重複部分がファスニング務歯の前記噛合領域を越えて延在する、ファスナーアセンブリ。
２.  前記第１閉鎖用テープの前記外部エッジ上に内部フラップを形成する逆の折り目をさらに含み、その結果、前記ファスナーが閉じられるとき、前記内部フラップの前記折り目が前記第２閉鎖用テープの下にその内部エッジとその外部エッジとの間に嵌り込む、上記１に記載のファスナーアセンブリ。
３.  前記第１または第２閉鎖用テープの前記内部エッジは、前記ファスナーが閉じられるときファスニング務歯の前記噛合領域を覆う延長フラップをさらに含む上記１に記載のファスナーアセンブリ。
４.  前記ファスナーがスライドファスナーであり、前記第１および第２ファスナーテープがストリンガテープであり、前記ファスナー務歯が前記ストリンガテープ上に取り付けられた協働スライドファスナー務歯であり、前記スライドファスナーが、前記スライドファスナーを開くおよび閉じるための前記ストリンガテープ上の前記ファスナー務歯と協働するスライダをさらに含む、上記１〜３のいずれか一項に記載のファスナー。
５.  前記ファスナーがフックアンドループファスナー務歯を有するフックアンドループファスナーである、上記１〜３のいずれか一項に記載のファスナーアセンブリ。
６.  防護衣料用布帛と、防護衣料用布帛の第１および第２領域をつなぐためのファスナーアセンブリとを含む衣服であって、
ａ）前記ファスナーアセンブリが、
ｉ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｉｉ）第１および第２閉鎖用テープであって、各閉鎖用テープが内部エッジと外部エッジとを有する、第１および第２閉鎖用テープとを含み、
前記第１ファスナーテープの前記第２端部が前記第１閉鎖用テープの前記内部エッジへ取り付けられ、前記第２ファスナーテープの前記第２端部が前記第２閉鎖用テープの前記内部エッジへ取り付けられ、
前記第１閉鎖用テープの各々が前記第１ファスナーテープ上の前記協働ファスナー務歯の列に平行に折り曲げられ、前記第２閉鎖用テープが前記第２ファスナーテープ上の前記協働ファスナー務歯の列に平行に折り曲げられ、
その結果、前記ファスナーが閉じられかつ前記第１および第２ファスナーテープからのファスナー務歯の噛合領域が形成されるとき、前記第１および第２閉鎖用テープの各々の前記外部エッジが重複し、前記第１閉鎖用テープの前記外部エッジがファスニング務歯の前記噛合領域を完全に覆い、前記第１閉鎖用テープの前記外部エッジの、前記第２閉鎖用テープの前記外部エッジによる重複部分がファスニング務歯の前記噛合領域を越えて延在し、
ｂ）前記衣服が、前記ファスナーアセンブリを防護衣料用布帛の前記第１領域へ前記第１閉鎖用テープの前記内部および外部エッジならびに前記第１ファスナーテープを通って取り付ける第１縫い目と、前記ファスナーアセンブリを防護衣料用布帛の前記第２領域へ前記第２閉鎖用テープの前記内部および外部エッジならびに前記第２ファスナーテープを通って取り付ける第２縫い目とを有し、
但し前記第１縫い目は前記第２閉鎖用テープを通って縫わず、前記第２縫い目は前記第１閉鎖用テープを通って縫わない、衣服。
７.  前記第１閉鎖用テープが防護衣料の前記第１領域へ、前記第１縫い目を覆う外部封止テープでさらに取り付けられ、前記第２閉鎖用テープが防護衣料の前記第２領域へ、前記第２縫い目を覆う外部封止テープでさらに取り付けられる、上記６に記載の衣服。
８.  前記ファスナーアセンブリが前記第１閉鎖用テープの前記外部エッジ上に内部フラップを形成する逆の折り目をさらに含み、その結果、前記ファスナーが閉じられるとき、前記内部フラップの前記折り目が前記第２閉鎖用テープの下にその内部エッジとその外部エッジとの間に嵌り込む、上記６に記載の衣服。
９.  前記ファスナーアセンブリの前記第１または第２閉鎖用テープの前記内部エッジは、前記ファスナーが閉じられるときファスニング務歯の前記噛合領域を覆う延長フラップをさらに含む、上記６に記載の衣服。
１０.  前記ファスナーはスライドファスナーであり、前記第１および第２ファスナーテープはストリンガテープであり、前記ファスナー務歯は前記ストリンガテープ上に取り付けられた協働スライドファスナー務歯であり、前記スライドファスナーは、前記スライドファスナーを開くおよび閉じるために前記ストリンガテープ上の前記ファスナー務歯と協働するスライダをさらに含む、上記６〜９のいずれか一項に記載の衣服。
１１.  前記ファスナーがフックアンドループファスナー務歯を有するフックアンドループファスナーである、上記６〜９のいずれか一項に記載の衣服。
１２.  防護衣料用布帛と、防護衣料用布帛の第１および第２領域をつなぐためのファスナーアセンブリとを含む衣服であって、
ａ）前記ファスナーアセンブリが、
ｉ）第１ファスナーテープと第２ファスナーテープとを有するファスナーであって、各ファスナーテープが内側面と外側面とを有し、各ファスナーテープが第１端部と第２端部とをさらに有し、前記第１端部上に協働ファスナー務歯の列が取り付けられる、ファスナーと、
ｉｉ）第１および第２閉鎖用テープであって、各閉鎖用テープが内部エッジと外部エッジとを有する、第１および第２閉鎖用テープとを含み、
前記第１ファスナーテープの前記第２端部が前記第１閉鎖用テープの前記内部エッジへ取り付けられ、前記第２ファスナーテープの前記第２端部が前記第２閉鎖用テープの前記内部エッジへ取り付けられ、
前記第１閉鎖用テープの各々が前記第１ファスナーテープ上の前記協働ファスナー務歯の列に平行に折り曲げられ、前記第２閉鎖用テープが前記第２ファスナーテープ上の前記協働ファスナー務歯の列に平行に折り曲げられ、
その結果、前記ファスナーが閉じられかつ前記第１および第２ファスナーテープからのファスナー務歯の噛合領域が形成されるとき、前記第１および第２閉鎖用テープの各々の前記外部エッジが重複し、前記第１閉鎖用テープの前記外部エッジがファスニング務歯の前記噛合領域を完全に覆い、前記第１閉鎖用テープの前記外部エッジの、前記第２閉鎖用テープの前記外部エッジによる重複部分がファスニング務歯の前記噛合領域を越えて延在し、
ｂ）前記衣服が、前記ファスナーアセンブリを防護衣料用布帛の前記第１領域へ前記第１閉鎖用テープの前記内部エッジおよび前記第１ファスナーテープを通って取り付ける第１縫い目と、前記ファスナーアセンブリを防護衣料用布帛の前記第２領域へ前記第２閉鎖用テープの前記内部エッジおよび前記第２ファスナーテープを通って取り付ける第２縫い目とを有し、
但し前記第１縫い目は前記第２閉鎖用テープを通って縫わず、前記第２縫い目は前記第１閉鎖用テープを通って縫わない、衣服。
１３.  前記ファスナーアセンブリが前記第１閉鎖用テープの前記外部エッジ上に内部フラップを形成する逆の折り目をさらに含み、その結果、前記ファスナーが閉じられるとき、前記内部フラップの前記折り目が前記第２閉鎖用テープの下にその内部エッジとその外部エッジとの間に嵌り込む、上記１２に記載の衣服。
１４.  前記ファスナーアセンブリの前記第１または第２閉鎖用テープの前記内部エッジが、前記ファスナーが閉じられるときファスニング務歯の前記噛合領域を覆う延長フラップをさらに含む、上記１２に記載の衣服。
１５.  前記ファスナーはスライドファスナーであり、前記第１および第２ファスナーテープはストリンガテープであり、前記ファスナー務歯は前記ストリンガテープ上に取り付けられた協働スライドファスナー務歯であり、前記スライドファスナーは、前記スライドファスナーを開くおよび閉じるために前記ストリンガテープ上の前記ファスナー務歯と協働するスライダをさらに含む、上記１２〜１４のいずれか一項に記載の衣服。
１６.  前記ファスナーがフックアンドループファスナー務歯を有するフックアンドループファスナーである、上記１２〜１４のいずれか一項に記載の衣服。
【図１Ａ】
0006581571.tif 000002
【図１Ｂ】
0006581571.tif 000003
【図１Ｃ】
0006581571.tif 000004
【図２Ａ】
0006581571.tif 000005
【図２Ｂ】
0006581571.tif 000006
【図３】
0006581571.tif 000007
【図４】
0006581571.tif 000008